(57)【要約】【課題】集毛器を掃除する際に、集毛器に付着したぬめりが手に付きにくい浴室の排水口構造を提供すること。【解決手段】浴室１の洗い場２の床３に排水口４を設け、排水口４に流入してきた液体を通過させると共に排水口４に流入してきた毛髪やゴミを捕まえる集毛器５を、排水口４を塞ぐように排水口４に着脱自在に取り付け、排水口４及び排水口４に取り付けた状態の集毛器５を覆って隠す排水口蓋６を、排水口４の上方に着脱自在に設け、排水口蓋６を裏返した状態で集毛器５を立て掛け可能な立て掛け部６ａを、排水口蓋６の下面６ｂに設けることを特徴とする。【選択図】図１
2011231473.tif 000002
【特許請求の範囲】
【請求項１】
浴室の洗い場の床に排水口を設け、前記排水口に流入してきた液体を通過させると共に前記排水口に流入してきた毛髪やゴミを捕まえる集毛器を、前記排水口を塞ぐように前記排水口に着脱自在に取り付け、前記排水口及び前記排水口に取り付けた状態の前記集毛器を覆って隠す排水口蓋を、前記排水口の上方に着脱自在に設け、前記排水口蓋を裏返した状態で前記集毛器を立て掛け可能な立て掛け部を、前記排水口蓋の下面に設けることを特徴とする浴室の排水口構造。
【請求項２】
前記浴室は洗い場の隣に浴槽を備えたものであって、前記洗い場の前記床の前記浴槽側の端部に前記排水口を設け、前記排水口蓋の前記浴槽側の端部に突出片を上方に突出させて設け、前記洗い場の前記床と前記排水口との間に、裏返した状態の前記排水口蓋の前記突出片を挿入可能な被挿入凹部を上方に開口して設けたことを特徴とする請求項１に記載の浴室の排水口構造。
【発明の詳細な説明】
【技術分野】
【０００１】
本発明は、浴室の排水口構造に関するものである。
【背景技術】
【０００２】
従来から、特許文献１等によって、図４（ａ）、図４（ｂ）に示す浴室１の排水口構造が提案されている。この浴室１の排水口構造は、浴室１の洗い場２の床３に排水口４が設けてあって、その排水口４には、集毛器５が着脱自在に取り付けられている。集毛器５は、排水口に流入してきた液体を通過させ、流入してきた毛髪やゴミを捕まえる構成となっている。この集毛器５を取り付けた状態の排水口４の上方に、排水口蓋６が着脱自在に取り付けられて、集毛器５及び排水口４を上方から覆って隠している。
【０００３】
集毛器５を掃除する際には、排水口４から集毛器５を外して、まず集毛器５に溜まった毛髪やゴミを取り除き、その後、スポンジ等の清掃具で、集毛器５に付着したぬめりを取り除く。
【先行技術文献】
【特許文献】
【０００４】
【特許文献１】特開２００９−５２３５７号公報
【発明の概要】
【発明が解決しようとする課題】
【０００５】
上述のように集毛器５を掃除する際には、集毛器５を手で持ったまませねばならず、集毛器５に付着したぬめりが手に付いてしまいやすいという問題があった。
【０００６】
本発明は前記事情に鑑みて発明したものであって、集毛器を掃除する際に、集毛器に付着したぬめりが手に付きにくい浴室の排水口構造を提供することを課題とする。
【課題を解決するための手段】
【０００７】
前記課題を解決するために本発明の浴室の排水口構造は、浴室の洗い場の床に排水口を設け、前記排水口に流入してきた液体を通過させると共に前記排水口に流入してきた毛髪やゴミを捕まえる集毛器を、前記排水口を塞ぐように前記排水口に着脱自在に取り付け、前記排水口及び前記排水口に取り付けた状態の前記集毛器を覆って隠す排水口蓋を、前記排水口の上方に着脱自在に設け、前記排水口蓋を裏返した状態で前記集毛器を立て掛け可能な立て掛け部を、前記排水口蓋の下面に設けることを特徴とする。
【０００８】
また、前記浴室は洗い場の隣に浴槽を備えたものであって、前記洗い場の前記床の前記浴槽側の端部に前記排水口を設け、前記排水口蓋の前記浴槽側の端部に突出片を上方に突出させて設け、前記洗い場の前記床と前記排水口との間に、裏返した状態の前記排水口蓋の前記突出片を挿入可能な被挿入凹部を上方に開口して設けることが好ましい。
【発明の効果】
【０００９】
本発明の浴室の排水口構造を用いれば、集毛器に付着したぬめりが手に付きにくい状態で、集毛器の掃除を行うことができる。
【図面の簡単な説明】
【００１０】
【図１】本発明の実施形態の浴室の排水口構造を示し、（ａ）は正面図であり、（ｂ）は集毛器を掃除する状態の正面図である。
【図２】同上の集毛器の一例を示し、（ａ）は平面図で、（ｂ）は正面図である。
【図３】同上の集毛器を掃除する状態を示し、（ａ）は一例を示す正面図であり、（ｂ）は他例を示す正面図である。
【図４】従来の浴室の排水口構造を示し、（ａ）は正面図であり、（ｂ）は集毛器を掃除する状態の正面図である。
【発明を実施するための形態】
【００１１】
本発明を添付図面に示す実施形態に基づいて説明する。
【００１２】
本実施形態の排水口構造は、図１（ａ）に示すように、浴槽７と洗い場２とを有する浴室１に形成される。洗い場２の床３の浴槽７側の端部３ａには、床３の上面３ｃから一段下がって形成される排水口蓋載置面８ａと、さらにもう一段下がって形成される排水口貫通面８ｂとからなる排水凹部８が形成されている。
【００１３】
排水凹部８は、図１（ａ）に示すように、排水口蓋載置面８ａが排水口貫通面８ｂの両側に形成されていて、排水口蓋載置面８ａ、排水口貫通面８ｂ、排水口蓋載置面８ａが、この順番で洗い場２から浴槽７に向かう方向Ｘに並んでいる。排水口蓋載置面８ａと排水口貫通面８ｂとは、垂下面８ｄによって、連結している。本実施形態においては、排水凹部８は、平面視にて、矩形状に形成されていて、排水口蓋載置面８ａが、外枠と内枠とが共に矩形の枠状に形成されていて、その内側の排水口貫通面８ｂが、矩形状に形成されている。なお、排水凹部８は、平面視円状に形成されていてもよく、排水口蓋載置面８ａ，排水口貫通面８ｂ共に、特に形の限定はされない。
【００１４】
排水口貫通面８ｂの中央には、排水口４が上下方向に貫通して設けられている。排水口４の下部には、排水トラップ（図示せず）及び排水を下水に排出するための排水管（図示せず）が、この順番に接続されている。排水口４は、平面視円状に形成されている。
【００１５】
排水口４には、排水口４に流入してきた毛髪やゴミを捕まえる集毛器５が、着脱自在に取り付けられている。集毛器５は、例えば、図２（ａ）、図２（ｂ）に示すような平面視円形の浅底皿状に形成されていて、外周部分５ｃが排水口４に隙間なく嵌め込まれて、排水口４を塞ぐようになっている。ここで、排水口４に嵌め込まれた状態の浅底皿状の集毛器５の上面５ｂは、排水口貫通面８ｂと略同じ高さ又は、排水口貫通面８ｂよりも低くなっている。集毛器５には、上下方向に貫通する多数の小孔５ｄ（毛髪やゴミが通過しない程度の大きさの孔）が形成されている。排水口４に流入してきた水や湯や洗剤などの液体は、この小孔５ｄを通じて排水口４の下方に通過させることができる。この際、排水口４に流入してきた毛髪とゴミは、小孔５ｄを通り抜けることができず、集毛器５の上面５ｂに残る。
【００１６】
また、集毛器５の上面５ｂからは、上方に突出する立上片５ａ１とその立上片５ａ１の先端から水平方向に伸びる摘み片５ａ２とからなる取っ手５ａが突出形成されている。この取っ手５ａの摘み片５ａ２は、集毛器５を排水口４に取り付けた状態において、排水口貫通面８ｂから上方に離れた箇所に位置することになり、排水凹部８に流入してきた液体や毛髪やゴミが、接触しにくくなっている。なお、この取っ手５ａの摘み片５ａ２を摘んで、集毛器５は排水口４に着脱される。
【００１７】
排水口４の両側の排水口蓋載置面８ａ，８ａには、排水凹部８を覆って隠す排水口蓋６が着脱自在に載置されている。なお、以下において、特に断りがない限り、排水口蓋６は、図１（ａ）に示す、排水凹部８の排水口蓋載置面８ａ，８ａに載置された状態の上下方向を用いて説明する。排水口蓋６は、下面６ｂの両端部（方向Ｘの端部とその逆方向の端部）から脚部６ｆ，６ｆが下方に向けて突出形成されている。この脚部６ｆ，６ｆが排水口蓋載置面８ａ，８ａに載置されて、排水口蓋６は、排水口４と排水口４に取り付けられた集毛器５とを覆って隠す。なお、本実施形態においては、排水口蓋６は、排水凹部８と同様、平面視矩形状に形成されている。そして、脚部６ｆは、この矩形状の排水口蓋６の下面６ｂの４つの角部からそれぞれ下方に向けて突出形成されている。なお、脚部６ｆは、下面６ｂの端部全体に亘って突出形成されるものであってもよい。
【００１８】
排水口蓋６は、排水口蓋載置面８ａに載置した状態で、上面６ｃが、洗い場２の床３の上面３ｃと略面一となるように設けられている。また、排水口蓋６は、平面視にて、排水凹部８の外周枠よりも少し幅狭に形成されている。すなわち、排水口蓋６を排水凹部８に取り付けた状態において排水口蓋６と床３との間には流入用隙間１０ができ、この流入用隙間１０を通って、洗い場２の床３上の液体は排水口４に流入可能となっている。排水口蓋６は、排水凹部８を覆うことで、ぬめりや水跡や洗剤跡の発生し易い排水凹部８と集毛器５を隠して意匠性を向上させている。なお、排水口蓋６は、本実施形態においては、平面視矩形状に形成されているが、排水凹部８の形状に合わせて、平面視円状であっても構わないし、その他の形状であっても構わない。
【００１９】
また、排水口蓋６の上面６ｃの浴槽７側の端部６ｄには、上方に突出する突出片６ｅが設けられている。なお、突出片６ｅは、本実施形態においては、排水口蓋６の上面６ｃの浴槽７側の端部６ｄの全体に亘って突出形成されているが、端部６ｄの一部のみから突出形成されるものであってもよい。
【００２０】
洗い場２側（方向Ｘと逆側）の排水口蓋載置面８ａには、上方に向けて突出する凸部８ｃが設けられている。凸部８ｃは、この排水口蓋載置面８ａの排水口４側の端部８ａ１に設けられている。この凸部８ｃと、排水口蓋載置面８ａの上方の床３の端面３ｈと、排水口蓋載置面８ａとで、脚部６ｆ及び突出片６ｅを挿入可能な被挿入凹部８ｅが形成されている。ここで、本実施形態においては、突出片６ｅは、被挿入凹部８ｅに嵌め込まれるように形成されている。なお、突出片６ｅは、被挿入凹部８ｅに嵌め込まれるのではなく、挿入可能なだけであってもよい。
【００２１】
排水口蓋６の下面６ｂには、排水口蓋６を裏返しにした状態において集毛器５を立て掛け可能な立て掛け部６ａが、下方に向けて突出形成されている。立て掛け部６ａは、下方に向けて突出する２つの突出片６ａ１，６ａ１が並列に一定の距離をおいて設けられている。集毛器５は、この２つの突出片６ａ１，６ａ１の間に取っ手５ａの摘み片５ａ２が差し込まれて嵌合して、立て掛け部６ａに立て掛け可能となっている。なお、立て掛け部６ａは、集毛器５の摘み片５ａ２が嵌め込まれるのではなく、集毛器５のその他の部分が嵌め込まれるようになっていてもよい。すなわち、上記一定の距離とは嵌め込まれる部分の長さに合わせたものとなる。
【００２２】
ここで、上述した排水口構造を用いて、集毛器５を掃除する方法について説明する。
【００２３】
図１（ｂ），図３（ａ）に示すように、まず、排水口蓋６を排水凹部８から外して、裏返す。そして、排水口蓋６の突出片６ｅが、被挿入凹部８ｅ内に位置するように裏返しした排水口蓋６を洗い場２の床３上に置く。ここで、排水口蓋６は突出片６ｅが、被挿入凹部８ｅに係止されて、方向Ｘ及びその逆方向にずれにくい状態となっている。また、排水口蓋６の上面６ｃは、床３の上面３ｃに面接触しているので、排水口蓋６は方向Ｘ及びその逆方向にさらにずれにくい状態となっている。次に、排水口４から集毛器５を取り外して、集毛器５に溜まった毛髪やゴミを取り除き、その後、排水口蓋６の立て掛け部６ａに、集毛器５の摘み片５ａ２を差し込む。そして、床３に対して方向Ｘ及びその逆方向にずれにくい状態となっている集毛器５をスポンジ等の清掃具で掃除する。
【００２４】
ここで、集毛器５の下面５ｅを掃除したければ、図１（ｂ）のように、集毛器５の下面５ｅを方向Ｘと逆側に向けて、立て掛け部６ａに差し込む。また、集毛器５の上面５ｂを掃除したければ、図３（ａ）のように、集毛器５の上面５ｂを方向Ｘと逆側に向けて、立て掛け部６ａに差し込む。このように掃除したい面に合わせて、差し込む方向を変えることで、浴槽７の浴槽エプロン９が邪魔になることなく、洗い場２の広い所で集毛器５は掃除することができる。
【００２５】
また、図３（ｂ）に示すように、排水口蓋６を裏返して、排水口蓋６の突出片６ｅが、被挿入凹部８ｅ内に位置すると共に、排水口蓋６が排水凹部８を覆うように設置してもよい。このようにすれば、ぬめりや水跡や洗剤跡が発生する排水凹部８を隠すことができるので、排水凹部８の汚れが視界に入らない状態で、集毛器５の掃除を行うことができる。
【００２６】
なお、この仮固定された排水口蓋６又は集毛器５にシャワー水が当たるようにシャワーヘッドを保持する保持部（図示せず）を、浴室壁面や浴槽エプロン９や浴槽７に設ければ、掃除の際に、シャワー水を当てながら集毛器５の掃除を行うことができる。
【００２７】
上述のように、本実施形態に示す浴室１の排水口構造は、浴室１の洗い場２の床３に排水口４を設け、排水口４に流入してきた液体を通過させると共に排水口４に流入してきた毛髪やゴミを捕まえる集毛器５を、排水口４を塞ぐように排水口４に着脱自在に取り付けたものである。そして、排水口４及び排水口４に取り付けた状態の集毛器５を覆って隠す排水口蓋６を、排水口４の上方に着脱自在に設け、排水口蓋６を裏返した状態で集毛器５を立て掛け可能な立て掛け部６ａを、排水口蓋６の下面６ｂに設けたものである。
【００２８】
このような構成とすることで、排水口蓋６を裏返して、立て掛け部６ａに集毛器５を立て掛ければ、集毛器５を手で持ったまま掃除しなくてもよく、集毛器５に付着したぬめりが手に付きにくい状態で集毛器５の掃除を行うことができる。また、集毛器５の掃除は、裏返した排水口蓋６の下面６ｂ上で行うことになる。よって、集毛器５と排水口蓋６の下面６ｂの両方をまとめて掃除することができて効率的である。
【００２９】
また、本実施形態に示す浴室１の排水口構造において、浴室１は洗い場２の隣に浴槽７を備えたものであって、洗い場２の床３の浴槽７側の端部３ａに排水口４を設けたものである。そして、排水口蓋６の浴槽７側の端部６ｄに突出片６ｅを上方に突出させて設け、洗い場２の床３と排水口４との間に、裏返した状態の排水口蓋６の突出片６ｅを挿入可能な被挿入凹部８ｅを上方に開口して設けたものである。
【００３０】
このような構成とすることで、排水口蓋６の上面６ｃの突出片６ｅを被挿入凹部８ｅに挿入すれば、集毛器５を立て掛けた排水口蓋６がずれにくくなって、集毛器５に付着したぬめりが手に付きにくい状態で行う集毛器５の掃除が更に容易となる。また、集毛器５の掃除は、排水口４を設けた排水凹部８に係止させている裏返した排水口蓋６の下面６ｂ上で行うことになる。そのため、集毛器５から取れた汚れは、大半が裏返した排水口蓋６の下面６ｂ上に落ち、シャワー等ですぐに排水口４に流すことができる。よって、集毛器５から取れた汚れによって洗い場２の床３の上面３ｃが汚れることを極力防止することができる。また、排水口蓋６の突出片６ｅは、排水口蓋６を排水凹部８に取り付けた際に、浴槽７の間近に位置することになるので、洗い場２を使用するのに邪魔になったりすることはない。
【００３１】
なお、立て掛け部６ａは、本実施形態のように、２つの突出片６ａ１，６ａ１で形成するのではなく、排水口蓋６の下面６ｂを凹ませて、集毛器５を嵌め込み可能な被挿入凹部を形成するようにしてもよい。
【００３２】
また、被挿入凹部８ｅは、上記位置に限定されず、掃除に便利な箇所であれば、洗い場２の床３の上面３ｃや、浴槽７の底面７ａや、浴槽エプロン９に設けてもよい。
【００３３】
以上、本発明を添付図面に示す実施形態に基づいて説明したが、本発明は上述の各実施形態に限定されるものではなく、本発明の意図する範囲内であれば、適宜の設計変更が可能である。
【符号の説明】
【００３４】
１      浴室
２      洗い場
３      床
４      排水口
５      集毛器
６      排水口蓋
６ａ    立て掛け部
６ｂ    下面
６ｃ    上面
６ｄ    端部
６ｅ    突出片
７      浴槽
８ｅ    被挿入凹部
【図１】
2011231473.tif 000003
【図２】
2011231473.tif 000004
【図３】
2011231473.tif 000005
【図４】
2011231473.tif 000006